(57)【要約】      （修正有）【課題】カロリー量や塩分量によって厚さの異なるプレートを、表示目盛りを形成した棒に挿入または抜き取ることにより、摂取する食事のカロリー量や塩分量の積算値を目視することができ、しかも、料理等の種別を調整することができるカロリー量や塩分量の積算量計を提供する。【解決手段】カロリー量や塩分量の積算量計１は、食材、食品、料理の概略の種別毎に予め定められたカロリー量や塩分量によって厚さを異ならせるとともに、中心部と外周部との間にスリット４aを形成したプレート４と、台座に垂直に立てられ、外面にカロリー量や塩分量の積算値を表示した表示目盛りを形成した棒３とを備え、摂取する食事の食材、食品、料理に適合する前記プレートを選択し、前記スリットから前記棒に挿入または抜き取り、積み上げられた前記プレートの最上の上面の前記表示目盛りにより、食事の総カロリー量や塩分量を読み取るように構成している。【選択図】図１
2014130556.tif 000002
【特許請求の範囲】
【請求項１】
食材、食品、料理の概略の種別毎に予め定められたカロリー量や塩分量によって厚さを異ならせるとともに、中心部と外周部との間にスリットを形成したプレートと、
台座に垂直に立てられ、外面にカロリー量や塩分量の積算値を表示した表示目盛りを形成した棒とを備え、
摂取する食事の食材、食品、料理に適合する前記プレートを選択し、前記スリットから前記棒に挿入または抜き取り、積み上げられた前記プレートの最上の上面の前記表示目盛りにより、食事の総カロリー量や塩分量を読み取るように構成したカロリー量や塩分量の積算量計。
【請求項２】
前記プレートは、食材、食品、料理の概略の種別毎に色または形状を異ならせた請求項１に記載のカロリー量や塩分量の積算量計。
【請求項３】
前記プレートは、スリットと反対側の外周に取っ手部が設けられた請求項１及び２に記載のカロリー量や塩分量の積算量計。
【発明の詳細な説明】
【技術分野】
【０００１】  本発明は、摂取する食事のカロリー量や塩分の概略積算量を目視できる目視積算量計に関する。
【背景技術】
【０００２】  適切なカロリー量を超える食事を摂取すると、肥満や生活習慣病等の原因となるため、病気治療のために食事制限を行っている人だけでなく一般人も、摂取する食品のカロリーへの関心が高まっている。各食品は、単位重量当たりの標準的なカロリーが既に調査されている。そこで、従来から、各食品の単位重量当たりのカロリーをデータベース化して、食品のカロリー計算を容易に行えるようにしたカロリー計算機が実用化されている。このカロリー計算機は、食品名と可食量を入力することにより、その食品に対応する単位重量当たりのカロリーをデータベースから読み出すと共に、これに可食量を乗算してその食品のカロリーを算出したり、それまでに計算した食品のカロリーの総和を積算するものである。このようなカロリー計算機は、栄養士等が調理の際に各食品（食材）の重量を秤で計測することにより、その可食量を重量数値で入力することになる。【０００３】  また、簡易的には、茶碗一杯分のご飯（白米飯）や１切れ分の肉等のように、目安となる単位での食品のカロリーをデータベース化したカロリー計算機もあった。このカロリー計算機は、食品名とその食品の何杯分又は切れ分等の個数表現による可食量を入力することにより、その食品の１単位分のカロリーをデータベースから読み出すと共に、これに個数表現の可食量を乗算し、その食品のカロリーを算出したり、それまでに計算した食品のカロリーの総和を積算するものである。このようなカロリー計算機は、例えばユーザがこれから食べようとする料理を目の前にして、個々の食品の可食量を目分量の個数表現で入力することができる。
【先行技術文献】
【特許文献】
【０００４】
【特許文献１】特開平１０−１６０５５８号公報
【特許文献２】特開平１０−１７１７６３号公報
【特許文献３】特開２００３−２８８４１８号公報
【特許文献４】特開２０１０−１３１３４３号公報
【発明の開示】
【発明が解決しようとする課題】
【０００５】  しかし、可食量を重量数値で入力するカロリー計算機では、調理の段階で各食品（食材）ごとにその重量を秤で計測しなければならないので、そのための手間がかけ難く、設備も整っていない一般家庭で簡便にカロリー計算を行う場合には不向きであり、既に出来上がった料理を食品ごとに分けて秤で計測することができないため、外食等の際に出された料理の総カロリーを計算するような場合には利用することができないという問題があった。【０００６】  また、カロリー計算機はコンピュータ機能を備えていることから、正確なカロリー計算を行うことは可能であっても、操作が面倒であり、しかも、非常に高額なことから、容易に購入して使用することができないといった問題がある。さらに、カロリー計算機に表示される料理の総カロリー量が数値で表示されることから、一般の使用者が直感的に理解できない問題もあった。【０００７】  本発明の課題は、カロリー量や塩分量によって厚さの異なるプレートを、表示目盛りを形成した棒に挿入または抜き取ることにより、摂取する食事のカロリー量や塩分量の積算値を目視することができ、しかも、料理等の種別を調整することができるカロリー量や塩分量の積算量計を提供することにある。
【課題を解決するための手段】
【０００８】  本発明によるカロリー量や塩分量の積算量計は、食材、食品、料理の概略の種別毎に予め定められたカロリー量や塩分量によって厚さを異ならせるとともに、中心部と外周部との間にスリットを形成したプレートと、台座に垂直に立てられ、外面にカロリー量や塩分量の積算値を表示した表示目盛りを形成した棒とを備え、摂取する食事の食材、食品、料理に適合する前記プレートを選択し、前記スリットから前記棒に挿入または抜き取り、積み上げられた前記プレートの最上の上面の前記表示目盛りにより、食事の総カロリー量や塩分量を読み取るように構成することを要旨としている。【０００９】  また、前記プレートは、食材、食品、料理の概略の種別毎に色または形状を異ならせることが望ましい。【００１０】  さらに、前記プレートは、スリットと反対側の外周に取っ手部を設けることが望ましい。
【発明の効果】
【００１１】  本発明によるカロリー量や塩分量の積算量計によれば、摂取する食事の総カロリー量や塩分量を積み重ねたプレートの高さで目視することができる。また、プレートの厚さが、食材、食品、料理の概略の種別毎に予め定められたカロリー量や塩分量によって異ならせているので、表示目盛りを形成した棒に対し、挿入または抜き取ることにより、必要な栄養素とカロリー量や塩分量を目視によって調整することができる。【００１２】  プレートを、食材、食品、料理の概略の種別毎に色分け、または、形状を異ならせることにより、棒に対してプレートを積み重ねても容易に種別を目視することが可能となる。【００１３】  さらに、プレートの外周に取っ手部を設けることにより、棒に対してプレートを容易に挿入または抜き取ることが可能となる。
【図面の簡単な説明】
【００１４】
【図１】  本発明のカロリー量や塩分量の積算量計の実施例を示す斜視図である。
【図２】  プレートを示す平面図である。
【図３】  （Ａ）、（Ｂ）、（Ｃ）、（Ｄ）は、食材等の種別毎のプレートを示す斜視図である。
【図４】  （Ａ）、（Ｂ）、（Ｃ）は、塩分量を表示したプレートを示す斜視図である。
【発明を実施するための形態】
【００１５】  本発明によるカロリー量や塩分量の積算量計は、食材、食品、料理の概略の種別毎に予め定められたカロリー量や塩分量によって厚さを異ならせるとともに、中心部と外周部との間にスリットを形成したプレートと、台座に垂直に立てられ、外面にカロリー量や塩分量の積算値を表示した表示目盛りを形成した棒とを備え、摂取する食事の食材、食品、料理に適合する前記プレートを選択し、前記スリットから前記棒に挿入または抜き取り、積み上げられた前記プレートの最上の上面の前記表示目盛りにより、食事の総カロリー量や塩分量を読み取るように構成している。なお、本発明においては、カロリー量と説明するが、カロリーはエネルギー量の単位であり、エネルギー量を一般的に用いられるカロリーと表記して説明する。
【実施例】
【００１６】  以下、本発明の実施例について、図１、図２に基づいて説明する。カロリー量や塩分量の積算量計１は、台座２に垂直に立てられた棒３と、中心部と外周部との間にスリットを形成した複数種のプレート４から構成されている。【００１７】  台座２は、板状に形成され、木、樹脂或いは金属によって形成されている。この台座２は、図１においては円板状に形成されているが、平面形状を三角形以上の多角形、或いは、食品等の図形の形状であっても良い。台座２の中央に垂直に立てられた棒３は、円柱状に形成され、周面には、カロリー量や塩分量の積算値を表示する表示目盛り３ａが形成されている。なお、棒３は、三角形以上の多角形や非円形であっても良い。【００１８】  プレート４は、木、樹脂或いは金属によって円板状に形成され、図２に示すように、中心部と外周部との間にスリット４ａが形成されている。スリット４ａの幅は、棒３に緩やかに嵌合するように設定されていて、スリット４ａの奥を棒３に当接したとき、図１に示すように、台座２と同心円状に設置される。さらに、プレート４には、図２に示すように、スリット４ａと反対側の外周に取っ手部４ｂが設けられている。【００１９】  このプレート４は、図３に示すように、食材、食品、料理の概略の種別毎に予め定められたカロリー量によって厚さを異ならせている。また、プレート４は、食材、食品、料理の概略の種別を容易に識別できるように色分けしたり、図３（Ａ）、（Ｂ）、（Ｃ）、（Ｄ）に示すように、食品のイラストを表示したり、或いは形状を異ならせても良い。因みに、図３（Ａ）は、野菜系に適合するプレート４、図３（Ｂ）は、魚系に適合するプレート４、図３（Ｃ）は、肉系に適合するプレート４、図３（Ｄ）は、ご飯系に適合するプレート４を示している。そして、摂取する食事の食材、食品、料理に適合するプレート４を選択し、スリット４ａから棒３に挿入または抜き取ることにより、積み上げられたプレート４の最上の上面の表示目盛り３ａにより、食事の総カロリー量を読み取ることができる。【００２０】  次に、カロリー量の積算量計１の使用方法について説明する。例えば鶏もも肉１枚を使って唐揚げを作る場合、図３に示したようなプレート４の中から、鶏もも肉１枚に適合するプレート４を選択し、図１に示すように、スリット４ａから台座２に垂直に立てられた棒３に差し込む。揚げ物料理の場合は油を使うので、適合する油のプレート４をプレート４の上に差し込む。同様にして献立にある他の食材や料理に対応するプレート４を順次差し込むことにより、複数枚のプレート４の高さが増してくる。そして、全てのプレート４を積み上げたときに、プレート４の最上の上面の表示目盛り３ａを読み取ることにより、調理を予定している献立のカロリーの積算値を読み取ることができる。【００２１】  カロリーの積算値が予定した総カロリー量よりも多すぎる場合には、揚げ料理をやめて蒸し料理に変更し、油のプレート４を棒３から抜き取り、総カロリー量を調整する。さらに総カロリー量が多すぎる場合は、肉の量を半分にすることにして、適合するプレート４と差し替える。このようにして、適切なカロリー量に調整された献立によって食事を摂取することができる。【００２２】  また、ブッフェ料理のような外食をする場合には、料理をとりながら、食材や料理にあわせて、上述した実施例と同様に、適合するプレート４を選択して、図１に示すように、スリット４ａから台座２に垂直に立てた棒３に挿入する。そして、全てのプレート４を積み上げたときに、プレート４の最上の上面の表示目盛り３ａを読み取ることにより、摂取しようとする料理のカロリーの積算値を読み取ることができる。また、総カロリー量が多すぎた場合には、他の食材の料理に変更したり、或いは、カロリーの多い料理（食材）に適合するプレート４を抜き取りながら、バランスを考慮した献立の料理、自分が食べる量を摂取前に目視して調整することができる。【００２３】  図４は、塩分量によって厚さを異ならせたプレート５を示している。図４（Ａ）は、２ｇ、図４（Ｂ）は、５ｇ、図４（Ｃ）は、１０ｇのプレート５を示している。このプレート５には、前述したプレート５と同様に、中心部と外周部との間にスリット５ａが形成され、プレート５には、スリット５ａと反対側の外周に取っ手部５ｂが設けられている。一方、台座２に垂直に立てた棒３には、図示しないが、塩分量の積算値を表示する表示目盛り３ａが形成される。そして、前述した実施例と同様に、摂取する料理毎に塩分量のプレート５のスリット５ａを、台座２に垂直に立てた棒３に差し込み、プレート５の最上の上面の表示目盛り３ａを読み取ることにより、調理を予定している献立の塩分の積算値を目視によって読み取ることができる。また、総塩分量が多すぎた場合には、他の料理に変更したり、或いは、塩分量の多い料理（食材）に適合するプレート５を抜き取りながら、バランスを考慮した献立の料理、自分が食べる量を摂取前に目視して調整することは、前述した実施例と同様である。
【符号の説明】
【００２３】１    積算量計
２    台座
３    棒
３ａ  表示目盛り
４    プレート（カロリー量）
４ａ  スリット
４ｂ  取っ手部
５    プレート（塩分量）
【図１】
2014130556.tif 000003
【図２】
2014130556.tif 000004
【図３】
2014130556.tif 000005
【図４】
2014130556.tif 000006